(57)【要約】【課題】浴室の壁面間の距離を含めた浴室の大小に規制されることなく、一種類の棒状部で対応することができ、また障害物があっても障害物の存在に影響されることなく棒状部を所望の位置に固定することができる物干し具を提供する。【解決手段】障害物Ｓがある場合には、図３（ｂ）に示すように障害物Ｓを避けて一対の吸盤３１を配置する。吸盤３１間の距離は図３（ａ）に示した場合よりも小さくなる。そして、吸盤３１を吸着状態にさせて、一対の連結部２１を中空パイプ３にそれぞれ連結させる。一対の連結部２１は小寸法部９の延びる方向へ動作自在に中空パイプ３にそれぞれ連結されるため、連結部２１をスライドさせて吸盤３１の位置に合せることができる。従って、吸盤３１間の距離が小さくなっても、中空パイプ３を図３（ａ）に示した場合と同じ位置に固定することができる。【選択図】        図３
0003150925.tif 000002
【実用新案登録請求の範囲】
【請求項１】
棒状部と、前記棒状部に対しスライド自在に連結される連結部と、前記連結部に接続され任意の箇所に固定できる固定手段とから成ることを特徴とする物干し具。
【請求項２】
請求項１に記載した物干し具において、棒状部は中空パイプによって構成され、前記中空パイプには軸方向へ延びる長穴が形成されており、中空パイプには連結部が長穴の延びる方向へ動作自在に連結されていることを特徴とする物干し具。
【請求項３】
請求項２に記載した物干し具において、長穴は幅寸法の大きい大寸法部と前記大寸法部に連続して形成された大寸法部より幅寸法の小さい小寸法部とから成り、前記連結部は小寸法部より小さい幅寸法の挿通部と、前記挿通部の先端に設けられ前記大寸法部を通過でき、且つ小寸法部を通過できないサイズの抜け止め部とを有し、前記抜け止め部を長穴の大寸法部から中空パイプ内へ挿入して、抜け止め部を小寸法部の内側の縁にスライド自在に係合させることを特徴とする物干し具。
【請求項４】
請求項１から３のいずれかに記載した物干し具において、固定手段は吸盤によって構成されていることを特徴とする物干し具。
【考案の詳細な説明】
【技術分野】
【０００１】
本考案は浴室等の天井面、壁面等に固定して、ハンガーを係止する物干し具に関するものである。
【背景技術】
【０００２】
近年では洗濯物の乾燥装置が付いた浴室がかなりみられるようになってきている。洗濯物を浴室内に干すためには、浴室の天井面等にハンガーを係止する棒状部を備えた物干し具を固定する必要がある。
この種の物干し具として特許文献１に記載されたものがある。特許文献１に記載された物干材はクランク状に折曲された棒状で、この物干材は浴室の対向する壁面に固定された一対の保持部材に保持されている。この物干材を使用する場合には、物干材を回動させて収納状態から使用状態にする。
【先行技術文献】
【特許文献】
【０００３】
【特許文献１】特開２００３−８８６９９号公報
【考案の概要】
【考案が解決しようとする課題】
【０００４】
しかしながら、一対の保持部材を浴室の対向する壁面に固定するため、物干材を浴室の壁面間の距離に合せる必要がある。従って、その距離に合せた長さの物干材をいちいち用意しなければならないという問題がある。
また、保持部材の固定箇所と物干材の回動範囲に障害物がないように保持部材と物干材を配置しなければならない。しかし浴室には照明器具やシャワー器具等が取付けられており、これらの照明器具やシャワー器具等が障害物となってしまう。従って、物干材を所望の位置に備えることは現実には殆ど不可能である。
よって、従来の物干材は、浴室の壁面間の距離を含めた浴室の大小によって、物干材の寸法や配置が規制されてしまうという問題がある。
【０００５】
本考案は上記従来の問題点に着目して為されたものであり、浴室の壁面間の距離を含めた浴室の大小に規制されることなく、一種類の棒状部で対応することができ、また障害物があっても障害物の存在に影響されることなく棒状部を所望の位置に固定することができる物干し具を提供することを、その目的とする。
【課題を解決するための手段】
【０００６】
本考案は上記課題を解決するためになされたものであり、請求項１の考案は、棒状部と、前記棒状部に対しスライド自在に連結される連結部と、前記連結部に接続され任意の箇所に固定できる固定手段とから成ることを特徴とする物干し具である。
【０００７】
請求項２の考案は、請求項１に記載した物干し具において、棒状部は中空パイプによって構成され、前記中空パイプには軸方向へ延びる長穴が形成されており、中空パイプには連結部が長穴の延びる方向へ動作自在に連結されていることを特徴とする物干し具である。
【０００８】
請求項３の考案は、請求項２に記載した物干し具において、長穴は幅寸法の大きい大寸法部と前記大寸法部に連続して形成された大寸法部より幅寸法の小さい小寸法部とから成り、前記連結部は小寸法部より小さい幅寸法の挿通部と、前記挿通部の先端に設けられ前記大寸法部を通過でき、且つ小寸法部を通過できないサイズの抜け止め部とを有し、前記抜け止め部を長穴の大寸法部から中空パイプ内へ挿入して、抜け止め部を小寸法部の内側の縁にスライド自在に係合させることを特徴とする物干し具である。
【０００９】
請求項４の考案は、請求項１から３のいずれかに記載した物干し具において、固定手段は吸盤によって構成されていることを特徴とする物干し具である。
【考案の効果】
【００１０】
本考案の物干し具によれば、浴室の壁面間の距離を含めた浴室の大小に規制されることなく、一種類の棒状部で対応することができる。
また障害物があっても障害物の存在に影響されることなく棒状部を所望の位置に固定することができる。
【図面の簡単な説明】
【００１１】
【図１】本考案の実施の形態に係る物干し具の斜視図である。
【図２】長穴に連結部が連結された状態を説明する図である。
【図３】図１の物干し具１が天井面に固定された状態を示す図である
【考案を実施するための形態】
【００１２】
本考案の実施の形態に係る物干し具１を図面にしたがって説明する。
符号３は棒状部としての中空パイプを示し、この中空パイプ３は金属製である。中空パイプ３には軸方向へ延びる一対の長穴５が形成されており、一対の長穴５は中空パイプ３の両端部分に配置されている。これらの長穴５は中空パイプ３の全長の約４分の１程度の長さ寸法を有している。長穴５どうしは互いの延長線上に位置している。
長穴５は幅寸法の大きい大寸法部７と、この大寸法部７に連続して形成された大寸法部７より幅寸法の小さい小寸法部９とから成っている。大寸法部７は中空パイプ３の中央寄りの一端部に位置している。
中空パイプ３の両端には閉塞体１１がそれぞれ取付けられている。
【００１３】
符号２１は一対の連結部を示し、一対の連結部２１は一対の長穴５が形成された中空パイプ３に連結される。
連結部２１の詳細な構成について説明する。
符号２３は浅い椀状の吸盤収容部を示し、この吸盤収容部２３内には複数の被係合片２５が設けられている。吸盤収容部２３の外面の中心部には円柱状の挿通部２７が設けられており、この挿通部２７の先端には円盤状の抜け止め部２９が一体に設けられている。挿通部２７は小寸法部９より小さい幅寸法に設定されている。また抜け止め部２９は大寸法部７を通過でき、且つ小寸法部９を通過できないサイズに設定されている。
【００１４】
符号３１は固定手段としての一対の吸盤を示し、一対の吸盤３１は一対の連結部２１に接続される。
吸盤３１には接続部材３３が取り付けられており、この接続部材３３には複数の係合片３５が設けられている。これらの係合片３５は前述した複数の被係合片２５に係合するようになっている。
【００１５】
次に、物干し具１の使用方法について説明する。
図３（ａ）に示すように一対の吸盤３１を互いに間隔をあけて浴室の天井面Ｔに配置し、吸盤３１を押しつぶしてエアーを抜いて、吸盤３１を吸着状態にさせる。
図１に示すように抜け止め部２９を長穴５の大寸法部７から中空パイプ３内へそれぞれ挿入する。そして挿通部２７を小寸法部９内に位置させ、且つ抜け止め部２９を小寸法部９の内側の縁にスライド自在に係合させる。これにより、図２に示すように一対の連結部２１は小寸法部９の延びる方向へ動作自在に中空パイプ３にそれぞれ連結される。
【００１６】
一対の連結部２１を中空パイプ３の端部寄りにそれぞれ位置させて、吸盤収容部２３を一対の吸盤３１にそれぞれ被せる。そして吸盤収容部２３を回動させて、吸盤収容部２３内に設けられた複数の被係合片２５に複数の係合片３５を係合させる。これにより一対の吸盤３１が一対の連結部２１に接続され、物干し具１が浴室の天井面Ｔに固定される。
【００１７】
障害物Ｓがある場合には、図３（ｂ）に示すように障害物Ｓを避けて一対の吸盤３１を配置する。このように配置すると、吸盤３１間の距離は図３（ａ）に示した場合よりも小さくなる。そして、図３（ａ）で説明した場合と同様に吸盤３１を吸着状態にさせて、一対の連結部２１を中空パイプ３にそれぞれ連結させる。前述したように一対の連結部２１は小寸法部９の延びる方向へ動作自在に中空パイプ３にそれぞれ連結されるため、連結部２１をスライドさせて吸盤３１の位置に合せることができる。従って、吸盤３１間の距離が小さくなっても、中空パイプ３を図３（ａ）に示した場合と同じ位置に固定することができる。
よって、浴室の壁面間の距離を含めた浴室の大小に規制されることなく、一種類の中空パイプ３で対応することができ、また障害物Ｓがあっても障害物Ｓの存在に影響されることなく、中空パイプ３を所望の位置に固定することができる。
【００１８】
以上、本考案の実施の形態について詳述してきたが、具体的構成は、この実施の形態に限られるものではなく、本考案の要旨を逸脱しない範囲における設計の変更などがあっても考案に含まれる。
上記実施の形態は、棒状部を金属製の中空パイプ３によって構成したが、中実の金属製の棒材によって構成してもよい。この場合には連結部２１に軸受けを設け、この軸受けに棒材を挿通して、連結部２１を軸方向へ動作自在に連結する。
上記実施の形態は、固定手段を吸盤３１によって構成したが、固定手段を両面テープやマグネット等によって構成してもよい。
上記実施の形態は、物干し具１を浴室の天井面Ｔに固定したが、物干し具１を壁面等に固定してもよい。また、物干し具１を浴室以外の部屋に適応してもよい。
【産業上の利用可能性】
【００１９】
本考案はハンガーを係止する物干し具の製造業に利用可能である。
【符号の説明】
【００２０】
１…物干し具                        ３…中空パイプ
５…長穴                            ７…大寸法部
９…小寸法部                        １１…閉塞体
２１…連結部                        ２３…吸盤収容部
２５…被係合片                      ２７…挿通部
２９…抜け止め部                    ３１…吸盤
３３…接続部材                      ３５…係合片
Ｔ…天井面                          Ｓ…障害物
【図１】
0003150925.tif 000003
【図２】
0003150925.tif 000004
【図３】
0003150925.tif 000005